(57)【要約】【課題】解決しようとする問題点は、底面に設けた粘着部材によりねずみを捕獲する方法ではねずみは粘着部材上に侵入しようとする際警戒心を起こさせ拘束されるにいたる前に侵入を避けることからねずみを捕獲できなかったり、または一旦前足等が粘着したとしても逃亡したりすることがあった。【解決手段】本発明は、粘着部材でねずみを捕獲するための捕獲器に関し、内部底面に粘着部材を設定せず側面又は上部に設けた粘着部材でねずみを捕獲することにより捕獲性能を改良した。【選択図】図１
2009183158.tif 000002
【特許請求の範囲】
【請求項１】
侵入口を有する本体と、前記本体の内部側面に粘着部材を設けることを特徴とするねずみ捕獲器。
【請求項２】
侵入口を有する本体と、前記本体の内部上面に粘着部材を設けることを特徴とするねずみ捕獲器。
【請求項３】
侵入口を有する本体と、前記本体の内部上面と内部側面に粘着部材を設けることを特徴とするねずみ捕獲器。
【発明の詳細な説明】
【技術分野】
【０００１】
本発明は、粘着部材でねずみを捕獲するための捕獲器に関し、内部底面に粘着部材を設定せず側面又は上部に設けた粘着部材でねずみを捕獲することにより捕獲性能を改良したねずみ捕獲器に関する。
【背景技術】
【０００２】
ねずみ捕獲器には、内部底面にねずみを捕捉するための粘着剤が塗布された粘着式のもの、台紙底面に粘着剤が塗布された粘着式のものが従来からあり、（例えば、特許文献１参照）、このようなねずみ取りは、ねずみの出没する排水口や配管孔等の出入口となる場所や壁際等のねずみが通路として好む場所にセットして使用する。
【０００３】
しかし、底面に設けた粘着部材ではねずみの警戒心を起こさせねずみを捕獲できなかったり、または粘着が不十分なため逃亡したりすることがあった。
【特許文献１】実公平３−２３１０４号公報
【発明の開示】
【発明が解決しようとする課題】
【０００４】
解決しようとする問題点は、底面に設けた粘着部材によりねずみを捕獲する方法ではねずみは粘着部材上に侵入しようとする際に前足が粘着部材に触れることにより警戒心を起こさせその足等が粘着部材の粘着力によって拘束されるにいたる前に侵入を避けることからねずみを捕獲できなかったり、または一旦前足等が粘着したとしても逃亡したりすることがあった。本発明は、このような事情に鑑みてなされたもので、その目的は、捕獲性能を改良したねずみ捕獲器を提供することにある。
【課題を解決するための手段】
【０００５】
この課題を解決するため請求項１の発明は本体の内部の底面に粘着部材を設けないことによりねずみの警戒心を軽減し内部への侵入を容易にし、ねずみの頭部又は胴体が内部側面に触れることにより接着部材が接着しさらに逃れようとする動作により左右両面の粘着部材と一層強く粘着する。このため、ねずみは粘着力によって強く拘束され、脱出できなくなりねずみ捕獲器の捕獲性能が向上する。
【０００６】
また請求項２の発明は本体の内部の底面に粘着部材を設けないことによりねずみの警戒心を軽減し内部への侵入を容易にし、ねずみの頭部、胴体が内部上面に触れることにより接着部材が接着しさらに逃れようとする動作により一層強く粘着する。このため、ねずみは粘着力によって強く拘束され、脱出できなくなりねずみ捕獲器の捕獲性能が向上する。
【０００７】
また請求項３の発明は本体の内部の底面に粘着部材を設けないことによりねずみの警戒心を軽減し内部への侵入を容易にし、ねずみの頭部、胴体が内部上面又は内部側面に触れることにより接着部材が接着しさらに逃れようとする動作により内部側面又は内部上部に一層強く粘着する。このため、ねずみは粘着力によって強く拘束され、脱出できなくなりねずみ捕獲器の捕獲性能が向上する。
【発明の効果】
【０００８】
以上説明したように、本発明によれば、捕獲性能を改良したねずみ捕獲器を提供できる。
【発明を実施するための最良の形態】
【０００９】
上記構成において、前記本体は捕獲器内部に侵入しやすくするため両端にねずみの侵入口を有する筒状あるいは側面、上面の３面からなる構造体であることが好ましい。以下、本発明の粘着式ねずみ取りの実施例を添付図面に示す具体例に基づいて説明する。
【実施例１】
【００１０】
図１は本発明請求項１の展開図であり、長方形をなし、ボール紙等の厚紙を用いた台紙１に側面部２に粘着部材６を配し、のりしろ部５により接着することにより長方形の筒状とし使用する。図２は使用時の状態の斜視図である。入り口の横幅はねずみの体幅よりよりやや広めとなる程度とし入り口の高さは大きくとり縦長の入り口となる構成とする。ねずみの侵入に対する警戒心を少なくし通り抜けも可能となる構成となっている。しかし中央部に餌の配置、障害物の配置等を置くことにより側面部に接触する機会を増やす等の措置を追加的に行うことも可能であり捕獲率を上げることが可能である。
【実施例２】
【００１１】
図３は本発明請求項２の展開図であり、長方形をなし、ボール紙等の厚紙を用いた台紙９に上面部１０に粘着部材１４を配し、のりしろ部１３により接着することにより長方形の筒状とし使用する。図４は使用時の状態の斜視図である。入り口の高さはねずみの高さ相当が好ましく入り口の横幅を広くとる横長の入り口となる構成とする。ねずみの侵入に対する警戒心を少なくし通り抜けも可能となる構成となっている。しかし中央部に餌の配置、障害物の配置等を置くことにより側面部に接触する機会を増やす等の措置を追加的に行うことも可能であり捕獲率を上げることが可能である。
【実施例３】
【００１２】
図５は本発明請求項３の展開図であり、長方形をなし、ボール紙等の厚紙を用いた台紙１８に上面部２１に粘着部材２４を配し、のりしろ部２２により接着することにより長方形の筒状とし使用する。図６は使用時の状態の斜視図である。入り口の高さはねずみの高さ相当が好ましく、入り口の横幅はねずみの体幅よりやや広めとなる程度となる構成とする。ねずみの侵入に対する警戒心を少なくし通り抜けも可能となる構成となっている。しかし中央部に餌の配置、障害物の配置等を置くことにより側面部に接触する機会を増やす等の措置を追加的に行うことも可能であり捕獲率を上げることが可能である。
【産業上の利用可能性】
【００１３】
本発明にかかるねずみ捕獲器は工業的に量産が可能であることから産業上の利用可能性を有する。
【図面の簡単な説明】
【００１４】
【図１】本発明請求項１のねずみ捕獲器の展開図である。（実施例１）
【図２】本発明請求項１のねずみ捕獲器の実施方法を示した説明図である。（実施例１）
【図３】本発明請求項２のねずみ捕獲器の展開図である。（実施例２）
【図４】本発明請求項２のねずみ捕獲器の実施方法を示した説明図である。（実施例２）
【図５】本発明請求項３のねずみ捕獲器の展開図である。（実施例３）
【図６】本発明請求項３のねずみ捕獲器の実施方法を示した説明図である。（実施例３）
【符号の説明】
【００１５】
１    ねずみ捕獲器本体
２    側面部
３    上面部
４    底面部
５    のりしろ部
６    粘着部材
７ａ、７ｂ、７ｃ、７ｄ    折り線
８    背部
９    ねずみ捕獲器本体
１０    上面部
１１    側面部
１２    底面部
１３    のりしろ部
１４    粘着部材
１５    背部
１６ａ、１６ｂ、１６ｃ、１６ｄ    折り線
１８    ねずみ捕獲器本体
１９    側面部
２０    底面部
２１    上面部
２２    のりしろ部
２３    側面粘着部材
２４    上面粘着部材
２５    背部
２６ａ、２６ｂ、２６ｃ、２６ｄ    折り線
【図１】
2009183158.tif 000003
【図２】
2009183158.tif 000004
【図３】
2009183158.tif 000005
【図４】
2009183158.tif 000006
【図５】
2009183158.tif 000007
【図６】
2009183158.tif 000008